(57)【要約】【課題】  大きな衝撃を受けても緩衝作用を奏することができる形状を維持できる緩衝部を有する梱包箱であって、高い精度を要することなく段ボール紙等の緩衝板材により容易に形成できる梱包箱を提供することを目的とする。【解決手段】  段ボール紙をコの字状に折り曲げて底面１５、対物面１６、上面１７を形成し、対物面１６及び上面１７に切込みを入れ折り起こすことにより、舌片１２を形成する。収納物が梱包箱３０内に収納されることにより、収納物と梱包箱本体３０の底面とによって舌片１２が挟まれた状態となり、舌片１２は収納物により、梱包箱本体３に押圧固定されることになる。舌片１２と緩衝部１０は一体となっており、舌片１２が梱包箱本体３に固定されると緩衝部１０もその位置で固定されることとなり、緩衝部１０が潰れてしまうことがない。【選択図】  図１
2005041564.tif 000002
【特許請求の範囲】
【請求項１】
収納物を保護するための緩衝部がその内側壁面に設けられた梱包箱において、
段ボール紙等の緩衝板材を折り曲げることにより形成された中空多角柱状の前記緩衝部の１の側面であって前記収納物と対面する側に、前記収納物により前記梱包箱本体の１の壁面方向に押圧固定される舌片が、前記緩衝部の側面を切り起こすことにより延在して設けられ、前記緩衝部の長手面と前記舌片の面はともに前記１の壁面に平行に位置付けられることを特徴とする梱包箱。
【請求項２】
前記収納物は前記梱包箱の１の前記内側壁面に対峙する面に破損容易部を有する収納物であって、前記梱包箱本体の前記内側壁面のうち、前記破損容易部が対峙する壁面に前記緩衝部を設けたことを特徴とする請求項１に記載の梱包箱。
【請求項３】
前記収納物は、その長手方向一端面に前記破損容易部として突状部を有する収納物であって、前記舌片を形成する切り起こしは該切り起こしにより形成される切り欠き穴が前記突状部を収容可能な位置に位置付けられるよう設けられ、前記梱包箱の前記舌片が接する面と対向する面側に、閉じることにより前記収納物を介して前記舌片に更なる押圧力を付加する蓋部を設けたことを特徴とする請求項２に記載の梱包箱。
【請求項４】
前記収納物は、その長手方向一端面に前記破損容易部として複数の突状部を有する収納物であって、前記舌片を形成する前記切り起こしは、該切り起こしにより形成される切り欠き穴が前記複数の突状部のうち前記緩衝部の長手方向中心に最も近い突状部を収容可能な位置に位置付けられるよう設けられることを特徴とする請求項３に記載の梱包箱。
【請求項５】
前記収納物は、その長手方向一端面に前記破損容易部として突状部を有するトナーコンテナであって、前記梱包箱の前記緩衝部が設けられた壁面に対向する壁面に、前記緩衝部との間で前記トナーコンテナを挟持する他の緩衝部を設けたことを特徴とする請求項３又は請求項４に記載の梱包箱。
【請求項６】
前記舌片、前記緩衝部及び前記梱包箱本体が１枚物の緩衝板材により形成されてなることを特徴とする請求項１乃至請求項５のいずれか一つに記載の梱包箱。
【発明の詳細な説明】
【技術分野】
【０００１】
本発明は、段ボール紙等の緩衝板材からなり、梱包箱本体の内側壁面に設けられた緩衝部により収納物を保護する梱包箱に関するものである。
【背景技術】
【０００２】
一般に機器類等の破損しやすい物品を運搬する際に様々な緩衝材を用いた梱包が成されているが、近年は特に廃棄処理される際に公害が発生しやすい発泡スチロールなどの発泡樹脂を用いることなく、被包装物を容易かつ確実に包装することが可能な紙製包装材が用いられる傾向があり、中でも緩衝作用に優れある程度の強度を有する梱包材料として段ボール紙を用いた梱包が広く行われている。
【０００３】
このような梱包箱において収納物を保護するための緩衝部を形成する容易な方法として、一般に図７（ａ）に示す従来の梱包箱側面図の緩衝部１０のように、段ボール紙を多角柱状中空部１３を形成するように折り曲げて、その長手面を梱包箱本体壁面に内接させた状態で配置する方法が知られている。図では収納物としてトナーコンテナ２０が収納されており、トナーコンテナ２０に設けられた突状部２１を保護すべく、梱包箱本体の内壁面のうち突状部２１と対面する位置に緩衝部１０が設けられている。しかし、このように段ボール紙を折り曲げて形成しただけの緩衝部１０は、図７（ｂ）に示す矢印方向から大きな衝撃が加わると、もとの形状を維持することができず、緩衝用の空間（中空部）１３が潰れてしまい、単に段ボール紙を重ねただけの形状となってしまう。その結果、トナーコンテナ２０の突状部２１を充分に保護することができなくなるという問題があった。
【０００４】
一方、収納物をより確実に保護する技術として、段ボール紙を複雑に切り込み、その切り込みを正確に組合せて折り曲げ加工し、段ボール紙の端面により収納物を支持できるように形成した内箱を介して収納物を梱包することにより、安全に収納物を保護できる方法が知られている（特許文献１）。しかし、この方法では複数の切り込みを正確に組合せる必要性から形成過程で高い精度が要求され、梱包箱の製作に多大な労力を必要とすることとなる。また、段ボール紙の端面により収納物を支持するという構造上、段ボール紙に相当の強度が要求されるため、段ボール紙そのものの質を確保するためにもコストを要する。さらに、内箱を上記のように別途形成してから外箱に収容するという構成になっているので、少なくとも外箱形成用の段ボール紙と内箱形成用の段ボール紙が必要となり、部品点数の増加により、部材コストと管理コストが増加してしまうという問題があった。
【特許文献１】特開２００１−３４８０６９公報
【発明の開示】
【発明が解決しようとする課題】
【０００５】
本発明は上記問題点に鑑み、大きな衝撃を受けても緩衝作用を奏することができる形状を維持できる緩衝部を有する梱包箱であって、高い精度を要することなく段ボール紙等の緩衝板材により容易に形成できる梱包箱を提供することを目的とする。また、更に部品コストや管理コストを低く抑えることが可能な梱包箱を提供することを目的とする。
【課題を解決するための手段】
【０００６】
本発明は、収納物を保護するための緩衝部がその内側壁面に設けられた梱包箱であって、段ボール紙等の緩衝板材を折り曲げることにより形成された中空多角柱状の前記緩衝部の１の側面であって前記収納物と対面する側に、前記収納物により前記梱包箱本体の１の壁面方向に押圧固定される舌片が、前記緩衝部の側面を切り起こすことにより延在して設けられ、前記緩衝部の長手面と前記舌片の面はともに前記１の壁面に平行に位置付けられることを特徴とする梱包箱を提案する。
【０００７】
このように、中空多角柱状の緩衝部の一側面に延在して設けられた舌片が収納物により梱包箱内側の壁面に押圧固定されるので、舌片と一体である緩衝部も初期の位置から移動して変形することがなく、緩衝作用を奏することができる形状を維持することができる。また、この舌片は緩衝部の一側面を切り起こすだけで形成できるので、梱包箱の設計・組立が容易である。さらに、従来から段ボール紙等の緩衝板材を中空多角柱状に折り曲げることにより緩衝部を形成した梱包箱を使用していた場合には、従来からの梱包形態に変更を加えなくとも良く、既に製造された梱包箱に対して後から舌片を容易に追加形成することができる上、従来に比べ緩衝部の緩衝効果が高くなるため、梱包箱を構成する緩衝板材の材質を落とすことが可能となり、コストの削減につながる。
【０００８】
また、本発明に係る梱包箱においては、前記収納物は前記梱包箱の１の前記内側壁面に対峙する面に破損容易部を有する収納物であって、前記梱包箱本体の前記内側壁面のうち、前記破損容易部が対峙する壁面に前記緩衝部を設けたことを特徴とする。
【０００９】
このように、収納物の破損容易部と対峙する位置に、舌片を切り起こし形成した潰れ難い緩衝部を設けるようにしたから、収納物の各部分のうち特に慎重な保護を要する部分を確実に保護できる梱包箱が簡単な構成により得られる。
【００１０】
そして本発明に係る梱包箱においては、前記収納物は、その長手方向一端面に前記破損容易部として突状部を有する収納物であって、前記舌片を形成する切り起こしは該切り起こしにより形成される切り欠き穴が前記突状部を収容可能な位置に位置付けられるよう設けられ、前記梱包箱の前記舌片が接する面と対向する面側に、閉じることにより前記収納物を介して前記舌片に更なる押圧力を付加する蓋部を設けたことを特徴とする。
【００１１】
このように、収納物が長手面と短手面を有していて、更に破損容易部が垂直方向からの衝撃に弱い突状部であってその突状部を長手方向端面に有している場合、突状部を下向きにして収納物を落下すると突状部及びこの突状部に対峙する緩衝部にかかる衝撃は更に大きなものとなるが、特にこのような場合であっても緩衝部がつぶれ難いので突状部を保護することができる。
また、このような突状部等の凹凸形状を有する収納物は梱包箱の中で泳ぎやすい傾向があるが、舌片を形成する際にできた切り欠き穴に突状部を収容して安定させるとともに、収納物を上から押え付けるように蓋をし、その押圧力により更にしっかりと舌片を固定できるようにしたので、舌片と一体である緩衝部も初期の位置で更にしっかりと固定され、潰れ難い状態にすることができる。
【００１２】
更に本発明に係る梱包箱においては、前記収納物は、その長手方向一端面に前記破損容易部として複数の突状部を有する収納物であって、前記舌片を形成する前記切り起こしは、該切り起こしにより形成される切り欠き穴が前記複数の突状部のうち前記緩衝部の長手方向中心に最も近い突状部を収容可能な位置に位置付けられるよう設けられることを特徴とする。
【００１３】
このように複数の突状部を有する収納物を収納する場合には特に緩衝部の中心に近い突状部を収容する切り欠きを形成する切り起こしが舌片を形成するようにすることにより、舌片を緩衝部の中央付近に設けるようにしたから、緩衝部の長手方向のいずれか一方のみが舌片により固定されもう一方が充分に固定されないといったことがなく、緩衝部の変形防止効果を効率良く得ることができる。
【００１４】
また、本発明に係る梱包箱においては、前記収納物は、その長手方向一端面に前記破損容易部として突状部を有するトナーコンテナであって、前記梱包箱の前記緩衝部が設けられた壁面に対向する壁面に、前記緩衝部との間で前記トナーコンテナを挟持する他の緩衝部を設けたことを特徴とする。
【００１５】
このように、トナーコンテナはその特徴として、突状部の破損防止の必要性の他に激しい揺れによるトナー漏れ防止の必要性があることを考慮して、梱包箱の長手方向両端に緩衝部を設けて、垂直方向に対する安定性のみならず、水平方向に対する安定性も確保するようにしたから、トナー漏れを防止するとともにトナーコンテナの位置ズレを防止してトナーコンテナが舌片を確実に押圧できる位置に保持することができる。
【００１６】
そして本発明に係る梱包箱においては、前記舌片、前記緩衝部及び前記梱包箱本体が１枚物の緩衝板材により形成されてなることを特徴とする。
このように、梱包箱本体の内側に配置される緩衝部等のみならず、梱包箱本体も含めて一枚の緩衝板材から形成するようにしたから、より構成部材の点数が少なく済み、部材コストの削減および、部材管理費の削減となり、経済的に有利である。
【発明の効果】
【００１７】
以上説明したように、本発明によれば、梱包箱内側に設けられ、段ボール紙等の緩衝板材により形成された緩衝部の一側面を切り起こして舌片を形成するという簡単な構成により、高い精度を要することなく容易に形成できる梱包箱であって、大きな衝撃を受けても緩衝部が緩衝作用を奏することができる形状を維持できる梱包箱が得られるという効果がある。また、更に梱包箱本体の内側に配置される緩衝部等のみならず、梱包箱本体も含めて一枚の緩衝板材から形成するようにしたから、より構成部材の点数が少なく済み、部品コストや管理コストを低く抑えることが可能な梱包箱が得られるという効果がある。
【発明を実施するための最良の形態】
【００１８】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。なお、従来技術において説明した部分と共通する部分については同一の符号を付す。
【実施例１】
【００１９】
図１は、本実施例に係る梱包箱の各部を示す斜視図であり、図１（ａ）は本実施例に係る梱包箱の緩衝部を構成する緩衝部材の斜視図、図１（ｂ）は図１（ａ）の緩衝部材を梱包箱本体内に取り付けた状態を示す斜視図である。そして図２は、この梱包箱内に収納される収納物であるトナーコンテナの斜視図である。
図２を参照して、トナーコンテナ２０は長手部と短手部を有する筐体であり、長手方向一端には突起状の係止部２１ａ、２１ｂ及び突起状の回転軸部２１ｃが設けられている。このトナーコンテナ２０とは、図示しない画像形成装置に供給するトナーを内包しており、矢印方向側を先頭にして画像形成装置本体内に挿入されるものである。即ち、トナーコンテナ２０は係止部２１ａ、２１ｂ及び回転軸部２１ｃを先頭にして、画像形成装置内に設けられた案内溝に沿って挿入され、係止部２１ａ、２１ｂが画像形成装置本体に設けられた係合穴に嵌合してトナーコンテナ２０が画像形成装置本体に位置決め固定された段階でトナーコンテナ２０の装着が完了する。そしてこのとき、回転軸部２１ｃの先端は画像形成装置本体に設けられた駆動体に嵌合し、画像形成時には駆動体の駆動により回転軸部２１ｃが回転することにより、トナーコンテナ２０内部のトナーが画像形成装置に供給される。
【００２０】
図２のトナーコンテナ２０を運搬する際には、２２の面を下側にして図１（ｂ）に示す梱包箱１に収納する。図１（ｂ）において梱包箱１は蓋を取り外した上面開口状態であり、トナーコンテナ２０は係止部２１ａ、２１ｂ及び回転軸部２１ｃを緩衝部１０側に向けて梱包箱１内に収納される。係止部２１ａ、２１ｂ及び回転軸部２１ｃが対峙する緩衝部１０は、四角柱状の中空部１３を形成するように梱包箱本体３内の第１の側壁面３０側に載置されており、段ボール紙を図１（ａ）に示すように折り曲げることにより形成される。なお、梱包箱本体３の第１の側壁面３０に対向する第２の側壁面３１には、第２の緩衝部３３が載置されている。
【００２１】
図１（ａ）を参照して、緩衝部１０を構成する緩衝部材は段ボール紙をコの字状に折り曲げて底面１５、対物面１６、上面１７を形成し、更に垂直上方向に折り曲げて、第１の側壁面３０に接する立面１４を形成することにより基本の形（第２の緩衝部３３を構成する緩衝部材と同様の形）が形成される。ここで、係止部２１ａ、２１ｂ及び回転軸部２１ｃは中空部１３の長手方向に沿って位置付けられることとなるが、その位置関係から係止部２１ｂが最も中空部１３の中央付近に位置付けられることとなる。次に、対物面１６に切り込みを入れ、係止部２１ａ及び回転軸部２１ｃをよけるための突起避け部１８を折り曲げて形成する。また、対物面１６及び上面１７に切込みを入れ折り起こすことにより、係止部２１ｂを収容するための切り欠き穴１９と舌片１２を同時に形成する。
【００２２】
そしてこの緩衝部（第１の緩衝部）１０及び第２の緩衝部３３を構成する緩衝部材を梱包箱本体３内に載置し、トナーコンテナ２０を収納した状態の上面図を図３（ｂ）に示す。図３（ａ）は更に蓋をした状態の側面図である。トナーコンテナ２０はその係止部２１ｂが切り欠き穴１９に収められ、更に蓋３２によって押えられ、その上２つの緩衝部１０、３３によって挟持されているので、梱包箱１の定位置でしっかりと保持されることになる。
【００２３】
図３（ｂ）のＡ−Ａ断面図を拡大して図４に示す。トナーコンテナ２０が梱包箱１内に収納されることにより、トナーコンテナ２０と梱包箱本体３の底面とによって舌片１２が挟まれた状態となる。これにより、舌片１２はトナーコンテナ２０より、太線矢印方向の押圧力を受け、梱包箱本体３に押圧固定されることになる。更に蓋３２を閉めればトナーコンテナ２０は破線矢印方向の押圧力を受けることになり、その押圧力が加わって太線矢印の押圧力はさらに大きなものとなり、舌片１２はよりしっかりと梱包箱本体３に固定されることになる。そして舌片１２は緩衝部１０を切り起こすことにより緩衝部１０から延在して形成されていることから舌片１２と緩衝部１０は一体となっており、舌片１２が梱包箱本体３に固定されると緩衝部１０もその位置で固定されることとなり、図７（ｂ）に示すように緩衝部１０が潰れてしまうことがない。
【実施例２】
【００２４】
上述の舌片１２、緩衝部１０、３３を備えた梱包箱であって、梱包箱本体３とともに１枚の段ボール紙により形成可能な梱包箱の展開図を図５（ａ）に示す。なお、実施例１において説明した部分に相当する部分には同一の符号を付す。図５（ａ）は展開した梱包箱１を、梱包箱１の内側となる面の方向から見た状態を示しており、実線に沿って段ボール紙を切り、１点鎖線を谷折りに、２点鎖線を山折りにして、梱包箱１の底面となるフラップ３４ａ〜３４ｄを組合せ、とじしろ３５ａ、３５ｂを接合すると、図５（ｂ）の状態になる。そして図５（ｂ）の矢印方向に第１の緩衝部１０、第２の緩衝部３３となる部分を折り込み、上述のトナーコンテナ２０をその係止部２１ａ、２１ｂ及び回転軸部２１ｃを緩衝部１０に対峙させて梱包箱１の中に収納すると、緩衝部１０側においては図６に示す状態となる。
【００２５】
図６は梱包箱１内にトナーコンテナ２０を収納した状態の緩衝部１０付近の拡大断面図である。緩衝部１０の底面１５の先端を折り曲げて嵩高く形成することにより、舌片１２の根本１２ａが梱包箱本体３の底面から離れることになる。この舌片１２の上にトナーコンテナが載せられると、図４において示した実施例同様の押圧力（丸数字１で示す）が加わるとともに、更にその上トナーコンテナ２０の角による摩擦力（丸数字２で示す）も加わり、舌片１２はよりしっかりと梱包箱本体３に固定されることとなるため、舌片１２と一体である緩衝部１０も初期の位置でよりしっかりと固定され、図７（ｂ）に示したのと同様の衝撃力を受けても中空部１３が潰れることがない。
【００２６】
なお、トナーコンテナ２０の上から蓋を閉めれば破線矢印で示した押圧力がトナーコンテナ２０に加わることにより、トナーコンテナ２０から舌片１２に加えられる押圧力は更に大きなものとなり、よりしっかりと舌片１２が梱包箱本体３の底面に固定されることとなるが、この蓋３２は直接トナーコンテナ２０を押えるものでなくても、間接的に押えるものであればよい。例えば、図５（ａ）、（ｂ）に示すように、蓋３２を閉じる以前に内蓋３２ａを閉じ、更に内蓋３２ａに付属品収納部３６を設けてここに種々の付属品（図示せず）を収納し、その上から蓋３２を閉じて、蓋３２に設けられた蓋固定片３７ａを内蓋３２ａ側に設けられた蓋固定片挿入口３７ｂに嵌め込むことにより蓋３２を閉じた状態で固定し、これにより蓋３２の押圧力を付属品、内蓋３２ａ及びトナーコンテナ２０を介して舌片１２に加えるようにしてもよい。また、舌片先端付近の箱本体に、舌片を幅方向に横断する様に切れ目を入れ、舌片先端を切れ目に挿入することで、さらに舌片がずれにくくすることも可能である。
【産業上の利用可能性】
【００２７】
本発明に係る梱包箱は緩衝部が従来に比べ潰れにくいことから収納物保護効果に優れているため、この梱包箱を使用することにより、従来は運搬に慎重を要するとして輸送費が高くついた収納物も、より容易に運ぶことが出来、輸送費のコスト削減となる。
また、本発明に係る梱包箱は、従来と比較して緩衝部の緩衝効果を高くすることができるため、これまでの仕様よりも梱包ケース自体の材質を落とすことができ、例えば梱包箱を構成する緩衝板材としてリサイクル紙含有率の高い段ボール紙を使用することにより、コスト削減とともに地球環境保護にも役立つ。
【図面の簡単な説明】
【００２８】
【図１】本発明に係る梱包箱の第１の実施例において各部を示す斜視図であり、図１（ａ）は緩衝部を構成する緩衝部材の斜視図、（ｂ）は（ａ）の緩衝部材を梱包箱本体内に取り付けた状態を示す斜視図である。
【図２】梱包箱内に収納される収納物であるトナーコンテナの斜視図である。
【図３】第１及び第２の緩衝部を構成する緩衝部材を梱包箱本体内に載置し、トナーコンテナを収納した状態の概要図であり、（ｂ）は上面図、（ａ）は更に蓋をした状態の側面図である。
【図４】図３（ｂ）のＡ−Ａ拡大断面図である。
【図５】本発明に係る梱包箱の第２の実施例において各構成要素を１枚の緩衝板材で形成する方法を説明するための図であり、（ａ）は展開図、（ｂ）は組立途中の斜視図である。
【図６】本発明に係る梱包箱の第２の実施例において、トナーコンテナを収納した状態で緩衝部付近を拡大して示す側面図である。
【図７】従来の梱包箱を説明するための側面図であり、（ａ）は緩衝部が正常状態の側面図、（ｂ）は緩衝部が衝撃で潰れた状態を示す側面図である。
【符号の説明】
【００２９】
１  梱包箱
３  梱包箱本体
１０、３３  緩衝部
１２  舌片
１３  中空部
１９  切り欠き穴
２０  トナーコンテナ
２１  突状部
３２  蓋
【図１】
2005041564.tif 000003
【図２】
2005041564.tif 000004
【図３】
2005041564.tif 000005
【図４】
2005041564.tif 000006
【図５】
2005041564.tif 000007
【図６】
2005041564.tif 000008
【図７】
2005041564.tif 000009